(57)【要約】【課題】液体の化粧料等を収容した中空容器の口頸部に塗布具等を装着した注出容器に於いて、内溶液の減少に伴って容器が変形したり、容器内に外気が流入して内容液が変質するのを防止する注出容器を提供する。【解決手段】容易に剥離可能な薄い内層１ｅを外層１ｄ内に設けた２層構造をした、胴壁部が押圧変形可能な中空容器本体１の口頸部１ａに螺合筒体２を螺合、固定して、前記螺合筒体２の内壁のフランジ部２ｃを介して立設する内外筒２ｅ，２ｆに嵌合、固定した吸気弁体４に筒状の結合部材３を覆うようにして嵌着すると共に、前記結合部材３を螺合筒体の嵌合部２ｂに嵌着、固定して、前記結合部材３に先端部に嵌合凹部５ｃを設けた蓋体５の円筒体５ａを螺着、結合して注出具を嵌合可能に形成して、前記蓋体５の嵌合凹部５ｃに注出具６を着脱可能に嵌合せしめて注出具付きの液体容器を構成する。【選択図】        図１
2004262505.tif 000002
【特許請求の範囲】
【請求項１】
容易に剥離可能な薄い内層壁を設けた２層構造の押圧変形可能な中空容器の口頸部に塗布具あるいは注出ノズル等の注出具を設けてなる注出容器に於いて、口頸部に螺合された螺合筒体に吸気弁体を設けた筒状の結合部材が嵌着されると共に、前記結合部材に注出具を嵌着可能に形成した蓋体が螺合、結合されて注出具を嵌合可能に形成されて、前記蓋体に注出具が着脱可能に嵌着されてなることを特徴とする注出具付きの液体容器。
【請求項２】
容易に剥離可能な薄い内層壁を設けた２層構造をした押圧変形可能な中空の容器本体の口頸部に螺合筒体を螺合、固定して、前記螺合筒体の内壁のフランジ部を介して立設する内外筒に嵌合、固定した吸気弁体に筒状の結合部材を覆うように嵌着すると共に、前記結合部材を螺合筒体の嵌合部に嵌着、固定して、前記結合部材の先端部に嵌合凹部を設けた蓋体の円筒体を螺着、結合して注出具を嵌合可能に形成して、前記蓋体の嵌合凹部に注出具を着脱可能に嵌合してなることを特徴とする注出具付きの液体容器。
【請求項３】
前記螺合筒体は、円筒体の内周面に設けたフランジ部の下面に円筒壁を設けて口頸部内に密着可能にすると共に通気孔を設け、フランジ部の上面に内外筒を立設して吸気弁体を嵌合、固定に形成されてなることを特徴とする請求項１または請求項２に記載する注出具付きの液体容器。
【請求項４】
前記結合部材は、前記螺合筒体の嵌合部に嵌合可能に形成された筒状体の上部にフランジ部を介して前記蓋体が螺合可能な円筒状の側壁が形成され、前記円筒状の側壁の底壁の下面に前記吸気弁体に係合する係合筒が設けられると共に、前記底壁に開閉可能な弁部が形成されてなることを特徴とする請求項１または請求項２に記載する注出具付きの液体容器。
【請求項５】
容易に剥離可能な薄い内層壁を有する２層構造をした押圧変形可能な中空の容器本体の口頸部に螺合筒体を螺合、固定して、上端部に塗布具の接合筒部を嵌着可能に形成すると共に、接合筒部の下端部に前記螺合筒体の嵌合部に嵌合可能に形成した蓋体の内部円筒部に吸気弁体を嵌着した接合用の蓋体を前記螺合筒体に嵌合、固定して、前記蓋体の上端部に櫛歯やブラシ等の塗布具を着脱可能に嵌着してなることを特徴とする塗布具付きの塗布容器。
【請求項６】
前記蓋体は、前記螺合筒体の嵌合部に嵌合可能な円筒部を形成して、前記円筒部の上端部を絞って縮径した筒状部の先端部を内側へＶ字状に折り返して塗布具を嵌合する嵌合部を形成すると共に、Ｖ字状に折り返した先端部に連接して前記螺合筒体の支持筒内に密着、嵌合可能な内部円筒部を形成して、前記内部円筒部の底部に開閉弁を設けて、また、前記縮径した筒状部に吸気孔を設けてなることを特徴とする請求項５に記載する注出具付きの液体容器。
【発明の詳細な説明】
【０００１】
【発明の属する技術分野】
本願発明は、染髪剤や整髪剤等の溶液を収容した中空容器、中でも、手指や衣服等を汚すことなく綺麗に、且つ、満遍なく頭髪に染髪剤や整髪剤、養毛剤等の化粧液を塗布できるように形成された櫛歯やブラシ等の塗布具を具えた塗布容器に係わるもので、更に詳細には、染髪剤や整髪剤等の頭髪化粧溶液を塗布する櫛歯やブラシ等の塗布具を各種の塗布容器に着脱自在に装着可能に形成すると共に、塗布具を交換可能に形成して、塗布具を共用可能にした塗布具付き頭髪化粧用容器に関するものである。
【０００２】
【従来の技術】
従来から染髪剤や整髪剤等を用いて頭髪を化粧する場合には、容器から少量づつ染髪剤等を掌に取って、指先で延ばすようにして頭髪に揉み込んで塗布するか、塗布専用の櫛歯やブラシを具えた塗布具に少量の染髪剤を付着させてから、塗布しようとする頭髪部分に塗り込んで塗布してから、櫛やブラシで頭髪を丹念に梳いて整髪していた。
しかし、このような頭髪の化粧方法にあっては、染髪剤で手先や頭皮が汚れるばかりか、衣服を汚すこともあり、また、薬液を頭髪に均一になるように確実に塗布するのが困難であり、化粧むらが出たりすることから、手先や衣服等を汚すことなしに、もう少し簡単で確実に整髪、化粧ができるようにした化粧用塗布容器の出現が望まれる。
【０００３】
その結果、染髪剤や整髪剤等の化粧料を収容した容器の口頸部に、内部の化粧溶液を頭部に塗布するための櫛やブラシ等の塗布具を装着して、化粧料を直接容器から塗布具に自動的に供給することができて、手先を汚さずに塗布できるようにした塗布容器が色々と開発されている。
そうした中で、化粧料を収容した容器に塗布具を装着したものとして、特開昭６１−２４０９０４号や特開平１１−９３３０号公報等に見るように、染髪剤等の化粧料を収容した胴壁部を押圧変形可能な中空容器の口頸部に櫛歯を装着した絞り出し形式のものと、実開平５−５１７８６号や特開平８−１３１２３５号公報等に見るように、染髪剤等の化粧料を加圧ガスと一緒に中空容器に収容したエアゾール容器の口頸部に櫛歯を装着した泡状エアゾール形式のもの等が、従来から一般に知られている。
【０００４】
前者の絞り出し形式のものは、図７に示すように、胴壁部が押圧変形可能な中空容器３１の口頸部３２にノズル部３３を有する肩カバー部３３ａを螺着して、前記ノズル部の先端に櫛部３５の支持体３４を嵌合、固定して、前記中空容器内の染髪剤等の化粧料を塗布可能に構成したものである。
そして、染髪剤等の化粧料を収容した前記中空容器３１の本体の胴壁３１ａ部分を手中に持って胴壁を押圧変形させると、前記容器３１内に収容された染髪剤等の化粧料はノズル先端の開口部３３ａから櫛部３５の支持体３４内部に形成された導出路３５ａへ吐出されて、排出口３５ｂを通して櫛歯３６に設けられた吐出路３６ａを経て吐出口３６ｂから櫛歯３６の間に排出されるので、頭髪に櫛歯３６を当てて梳くことにより染髪剤を頭髪に塗布することができる。
【０００５】
このような絞り出し形式の容器を用いたものは、染髪剤等の化粧料を充分な量だけ櫛歯部分に供給しつつ、手先や頭皮への付着や周囲への飛散もなしに、広い範囲の頭髪に対して塗布操作を行うことができて便利である。
しかし、このような櫛歯を設けた塗布容器は、ノズル部に注出される化粧料を調整する弁体がないので、胴壁を押圧変形させる際に強く押圧し過ぎると、化粧料が余分に出過ぎて、頭髪がべとついて困る場合があり、また、内溶液の減少により内部が減圧状となることから、容器の外形が変形したり、容器内に外気が流入するので、内溶液が変質する欠点がある。
そして、上記の塗布容器に装着して使用する櫛歯は、用いる容器によって異なることから、容器の大きさや形状または種類により別々のものを準備しなければならず、既存品との間の互換性がないので、上記のような塗布具を具えた塗布容器は製造コストが嵩むことになり、改良の余地がある。
【０００６】
また、後者のエアゾール容器を用いた泡状塗布式のものは、手に持った容器を傾けてから噴射ステムを押し下げると、内部の染髪剤等の化粧料を泡状にして一定量ずつ噴出させて塗布することができて非常に便利であり、容器の外形が変形することがなくて、内部の加圧ガスとして内容液に不活性なガスを用いると、内容液が変質することもない。
しかし、櫛歯による泡の保持力が弱いために塗布中に染髪剤等が櫛歯から落下し易くて、皮膚や衣服に等に付着することがあり、また、エアゾール容器は製造コストが高くつくので、塗布容器の生産コストを下げることは難しい。
【０００７】
そして、櫛歯やブラシ等の塗布具を装着した塗布容器に於いて、塗布操作による内溶液の減少による内部の減圧化に伴って、容器の外形が変形したり、容器内に外気が流入するのを防止したものとして、特開２００２−４６７８３号や特開２００２−６８３３０号公報等にみるように、収縮変形可能な内部容器を重ね合わせた構造の二重容器からなるもの、あるいは、特開平４−３３９７５９号や特開平９−２３９２２号公報に見るように、柔軟なフィルムからなる剥離可能に袋状の内層を設けた二層構造の容器からなるものが知られている。
しかし、前者の二重容器からなるものは、構造が複雑になり、生産コストを低減するのが難しい。
【０００８】
そこで、櫛歯やブラシ等の塗布具を装着する中空容器として、容器本体の胴壁層（外層）の内側にナイロンやエチレンビニルアルコール樹脂等を用いた柔軟なフィルム層からなる内層を剥離可能に形成した容器を用いて、内容液が変質するのを防止した塗布容器を、出願人は既に、特開２０００−４１７２７号や特開平４−３３９７５９号公報に提案している。
上記発明の塗布容器は、図８に示すように、内部剥離層を有する２層構造をした中空容器（デラミネート容器、通称デラミ容器）４１に染髪剤等の化粧料を収容して、前記中空容器の口頸部４１ａの螺着筒部４１ｂに櫛支持筒部４２を立設した接合キャップ４３を螺着して、前記接合キャップ４３の櫛支持筒部４２に櫛体４５の取付け筒部４４を嵌着して櫛歯付きの塗布容器を構成して、染髪剤等の化粧料を塗布可能としたものである。
【０００９】
しかし、上記櫛歯付きの塗布容器は、用いる中空容器の口頸部に合わせた螺着筒部を有する接合キャップ４３を前記螺着筒部４１ｂに嵌合する中栓４６を用意して、前記接合キャップ４３の櫛支持筒部４２に嵌着可能に形成した櫛体４５を用いなければならず、従って、用いる中空容器の種類ごとに異なる接合キャップや中栓、櫛体を製造しなければならず、生産コストを低減することが難しい。
そこで、剥離可能な内層と外層を設けた２層構造の中空容器を用いた塗布具付きの塗布容器を、汎用部品を使用可能にした共通性を持たせて、構造をできるだけ簡単にして、安価に製造可能な塗布容器の出現が望まれる。
【００１０】
【発明が解決しようとする課題】
本願発明は、上記したような種々の問題を解決せんとして創案されたもので、胴壁部を押圧変形が可能な中空容器に収容された染髪剤等の化粧料を、前記中空容器の口頸部に装着された櫛歯やブラシ等の塗布具に注出せしめて、手先や衣服を汚すことなしに、頭髪部に綺麗に満遍なく塗布できるような構造をした塗布容器に構成して、前記中空容器の口頸部に装着される櫛歯やブラシ等の塗布具は、容器の種類や大きさ、形状が異なる容器にも共通して使用することができるような構造に形成すると共に、前記櫛歯やブラシ等の塗布具には一定圧力の液流が送られて、櫛歯から吐出されるように形成する。
そして、更に、前記中空容器は内溶液の減少に伴う外気の流入がないようにして、容器内の溶液の変質を極力防止できるような構造にすると共に互換性があるように形成された化粧用中空容器を提供することを目的とする。
【００１１】
【課題を解決するための手段】
上記のような課題を解決するために、染髪剤等の化粧料を収容する中空容器を、容器本体の外層壁内に剥離可能にした内層部を形成した２層構造に形成して、容器内への外気の流入を防止して、また、前記中空容器の胴壁部を押圧変形可能に形成すると共に、前記中空容器の口頸部に塗布具が着脱可能に形成された接合筒体を螺着可能に形成する。
また、前記中空容器の口頸部に装着される櫛歯やブラシ等の塗布具は、前記中空容器の口頸部に螺着可能に形成された螺合筒体に嵌着された弁体を有する筒状の結合部材に既成の櫛歯やブラシ等を着脱自在に結合して構成することにより、本願発明の塗布容器は、その製造コストが低減されると共に、前記螺合筒体または結合部材に減圧空気の流入開閉弁と内容液の流出開閉弁を設けて、内容液の注出量を調整可能に形成される。
【００１２】
【発明の実施の形態】
熱可塑性合成樹脂をブロー成形により成形した中空容器の内部に、剥離可能で且つ変形自在な内袋を設けて、該内袋に染髪剤や整髪剤等の液体化粧料を収容して塗布容器の容器本体１を形成する。
一端部を容器の口頸部１ａに螺合可能に形成すると共に他端部に吸気弁体４を有する筒状の結合部材３を嵌合可能に形成した螺合筒体（筒状蓋体）２を、前記容器本体１の口頸部１ａに螺着して、前記螺合筒体２に塗布具等６を結合可能に形成した筒状の結合部材３を嵌合、固定して、櫛歯やブラシ等の塗布具６を装着可能にした容器本体１を形成する。
【００１３】
続いて、上記容器本体１の結合部材３に、筒状をした中間の接合用蓋体５を介在させるか、または、介在させずして、櫛歯やブラシ等の塗布具６を着脱可能に嵌合、接続して、染髪剤や整髪剤等の液体化粧料を注出可能にした塗布具付きの塗布容器を構成する。
そして、上記のように構成された塗布具付きの塗布容器を使用するには、２層構造をした塗布容器の胴部を手中に持って、その胴壁部を押圧すると、内圧が上昇して前記結合部材の弁体が開いて、容器内の内容物が液通路を通って各櫛歯に送られて、吐出口から櫛歯面に吐出されるので、頭髪部に塗布できる。
【００１４】
【実施例】
本願の発明について、最適な一つの実施例に基づいて、図面を参照しつつ以下に説明する。
本願の発明は、図１に示すように、中空容器の外層１ｄから容易に剥離可能な薄い内層１ｅを設けて２層構造に形成した押圧変形が可能な中空容器（俗称デラミ容器）に、染髪剤や整髪剤等の液体化粧料を収容した容器本体１の口頸部１ａに螺合筒体２を螺合、固定して、前記螺合筒体２に吸気弁体４を設けた結合部材３を嵌着して、前記結合部材３に蓋体５を螺合、固定して、前記蓋体５に櫛歯やブラシ等の塗布具６を着脱可能に嵌合、接続して、染髪剤や整髪剤等の液体化粧料を注出可能となして、塗布具付きの塗布容器を構成したものである。
【００１５】
上記のような構成をした塗布具付きの塗布容器を形成するには、先ず、熱可塑性合成樹脂を用いて通常の押出しブロー成形により成形して、口頸部１ａに螺合筒体（又は筒状蓋体）２を螺合可能なネジ部１ｂと外気導入孔１ｃとを形成した中空の容器本体１の内部に、前記容器本体の胴壁面から容易に剥離可能なナイロンやポバール等の柔軟性を有する合成樹脂から形成した変形自在な袋状体を挿入、固定して、染髪剤や整髪剤等の液体化粧料を収容可能にした、図１に示すような２層構造をした中空の容器本体１を形成する。
【００１６】
続いて、熱可塑性合成樹脂を射出成形して、図２に示すような円筒体からなる螺合筒体２を形成して、円筒体の下端部の内周面には前記中空の容器本体１の口頸部１ａに螺合可能なネジ部２ａを設けると共に、上端部には櫛歯やブラシ等の塗布具６を結合可能にした結合部材３が嵌着する嵌合部２ｂを設けて、更に、円筒体の中程の内周面に環状のフランジ部２ｃを形成して、該フランジ部に通気孔２ｈを設ける。（図２（ｄ）参照）
そして、前記フランジ部の下面には円筒壁２ｄを垂設して容器の口頸部１ａの内周面に密着可能に形成すると共に、前記フランジ部２ｃの上面には内筒２ｅと外筒２ｆとを立設して吸気弁体４を嵌合する嵌合凹溝２ｇを形成して、容器の口頸部１ａに螺合、固定する螺合筒体（又は筒状蓋体）２を成形する。
【００１７】
同じように射出成形して、前記螺合筒体２に嵌着可能で且つ蓋体を螺着可能な筒状体からなる結合部材３を成形して、筒状体の円筒壁３ａの上部外周面に塗布具を嵌合、接合するための蓋体（接合体）が螺合されるネジ部３ｂを設けて、前記筒状体の内部底壁３ｃの下面には外気吸入用の吸気弁体４を密着して係合する係合筒３ｄを突設すると共に、該係合筒の内側の内部底壁の一部３ｅが連結されて他の部分を円形状に切り離された開閉可能な弁部３ｆを形成して、内容液の流出を調節可能にする。
更に、前記筒状体の下部外周にフランジ状に設けた外部底壁３ｇの下面に前記螺合筒体２に嵌合する嵌合筒部３ｈを垂設して、螺合筒体２に嵌着、固定可能に形成すると共に、筒状体の前記円筒壁３ａと外部底壁３ｇの周縁との連接部に連通孔３ｊを設けて、外気を吸入可能に成形する。（図２（ｂ）参照）
【００１８】
また、同様に射出成形して、前記筒状の結合部材３と螺合筒体２との間に設ける吸気弁体４を、図２（ｃ）に示すように、前記結合部材３の内部底部３ｃの係合筒３ｄに密着、係合が可能な円筒体４ａに成形して、該円筒体４ａの上端部に内側に向けたフランジ部４ｄを形成すると共に、円筒体の下端部４ｃを前記螺合筒体２の上部に設けた嵌合凹溝２ｇに嵌合可能に形成して、更に、円筒体４ａの中程の外周面に薄肉の環状片を設けて吸気弁４ｂを形成して、該吸気弁４ｂを結合部材３と螺合筒体２とに密着せしめて嵌合可能にする。
【００１９】
同じようにして、櫛歯やブラシ等の塗布具を装着可能にする接合用の蓋体５を前記結合部材３に螺着可能な筒状に成形して、前記蓋体５の下端部を形成する円筒部５ａの内周面に前記結合部材３の上部の円筒壁３ａの外周面に設けられたネジ部３ｂに螺合可能なネジ５ｂを形成すると共に、前記蓋体の円筒部５ａの上端部から湾曲状に絞るようにして縮径した先端部５ｄに櫛歯やブラシ等の塗布具６の後端の接合筒部６ａを嵌合せしめて固定可能にした嵌合凹部５ｃを設けて、塗布具６を接合可能な蓋体を形成する。（図２（ａ）参照）
【００２０】
上記のように形成された本願発明の各構成部材は、２層構造をした中空の容器本体（デラミ容器）１内に染髪剤や整髪剤等の液体化粧料を収容して、前記容器本体の口頸部１ａに螺合筒体２が円筒部のネジ部２ａを螺合して固定される。
次いで、前記螺合筒体２の内筒２ｅに吸気弁体４の円筒体の下端部４ｃを被着して嵌合凹溝２ｇに嵌合、固定してから、結合部材３の下端部の嵌合筒部３ｈを前記螺合筒体２上部の嵌合部２ｂに嵌合せしめると共に、結合部材３の内部底壁３ｃに垂設した係合筒３ｄを前記吸気弁体４の円筒体４ａに係合せしめて、櫛歯やブラシ等の塗布具を装着する蓋体５を螺着可能に固定する。
【００２１】
そして、上記のようにして結合部材３が固定された容器本体には、櫛歯やブラシ等の塗布具が装着可能に形成された前記蓋体５を、前記結合部材３の円筒体の円筒壁３ａのネジ部３ｂに円筒部５ａを螺合して固定する。
このようにして、塗布具を装着可能な蓋体５が固定された容器本体に対して、櫛歯やブラシ等の塗布具６の後端の接合筒部６ａを、前記蓋体５の円筒部５ａの先端部に設けられた嵌合凹部５ｃに嵌合せしめることにより、塗布具付きの塗布容器が形成される。
【００２２】
上記のように形成された図１に示すような塗布具付きの塗布容器は、容器本体１の胴部を手中に持って胴壁部を押圧すると、内部の圧力が上昇して弁部３ｆが開いて、内部の容液は櫛歯やブラシ等の塗布具６の液流路６ｂを通って、塗布具先端に設けられた吐出口から吐出されて塗布可能になる。
そして、胴壁部の押圧力が解除されると、容器の胴壁部が復元することにより容器内が減圧状態になって弁部３ｆが閉じると同時に、前記蓋体５の下部の円筒部５ａの端面と結合部材３との間の隙間から外気が吸入されて、結合部材３の連通孔３ｊを通って吸気弁体４の吸気弁４ｂを押し下げて、通気孔２ｈを通過して、容器の口頸部１ａの外気導入孔１ｃから容器本体１内へと吸引される。
【００２３】
このようにして、外気導入孔１ｃから容器本体１内へと吸引された外気は、胴壁部の外層１ｄと内層１ｅとの間に導入されて内層を剥離させる結果、剥離した内層１ｅは内部が減圧状態になるのに伴って収縮するので、内溶液を収容した内層内に外気が流入することがないので、容器本体内の溶液が酸化したりして変質するようなことはない。
尚、上記した実施例に於いては、各種の塗布具等を接続可能にするために、塗布具６と螺合筒体２との間に塗布具６を装着可能にする蓋体５と該蓋体を螺合筒体に結合する結合部材３とを設けたことにより、種々の櫛歯やブラシ等の塗布具６、特に汎用されている既存の塗布具および容器本体が使用可能な構造にしたが、本願発明は、このような構造に限定されるものでなくて、例えば、図３および図５に示すように、前記結合部材３を省略した簡単な構造にして、前記蓋体５に前記結合部材としての機能を持たせた構造にして、同様な効果をもたらすことが可能である。
【００２４】
例えば、図３に示す第二の実施例は、２層構造をした中空の容器本体１の口頸部１ａに螺着する螺合筒体１２を、熱可塑性合成樹脂の射出成形により図４に示すような円筒体に形成して、円筒体の下端部に容器の口頸部１ａに螺合可能なネジ部１２ａを内周面に設けると共に、その上端部に塗布具６を装着するための蓋体（接合用蓋体）１５を嵌着可能にした嵌合部１２ｂを設けて、更に、前記円筒体の中程の内周面に環状のフランジ部１２ｃを形成して、前記フランジ部の下面に容器本体１の口頸部１ａの内周面に密着可能な円筒壁１２ｄと蓋体５を支持する支持筒１２ｅとを垂設すると共に、前記円筒壁１２ｄと円筒体の中間部のフランジ部１２ｃに通気孔１２ｈを設けて口頸部１ａに螺着可能に形成する。（図４（ｃ）参照）
【００２５】
また、上記第一実施例と同じように、櫛歯やブラシ等の塗布具６を装着するための前記蓋体１５を前記螺合筒体１２に嵌着可能に成形して、前記蓋体１５の円筒部１５ａを前記螺合筒体１２の嵌合部１２ｂに嵌合可能に形成して、前記円筒部１５ａの上端部から絞るように湾曲状に縮径した先端部１５ｄを内側に折り返した逆Ｖ字状に形成して塗布具６の後端の接合筒部６ａを嵌合、密着可能に形成すると共に湾曲面に吸気孔１５ｆを形成して、前記逆Ｖ字状の先端部を前記螺合筒体１２の支持筒１２ｅの内周面に密着可能にした内部円筒部１５ｃを設けて、更に、前記内部円筒部の底部に開閉弁１５ｅを形成する。（図４（ａ）参照）
【００２６】
同じようにして、前記螺合筒体１２と蓋体１５の間に嵌着して設ける吸気弁体１４を射出成形により成形して、前記蓋体１５の内部円筒部１５ｃに嵌合可能な円筒体１４ａを形成すると共に、該円筒体１４ａの中程の外周面に設けた環状の薄肉片からなる吸気弁１４ｂを形成して、その薄肉片の先端部を前記蓋体１５の円筒部１５ａの上端部の内周面に密着可能にした吸気弁体１４を形成する。（図４（ｂ）参照）
【００２７】
上記のように形成された各構成部材は、２層構造をした中空容器に液体化粧料が収容された容器本体１の口頸部１ａに、前記螺合筒体１２を螺合して、接合用の蓋体１５を嵌着可能に形成する。
そして、前記蓋体１５の内部円筒部１５ｃに前記吸気弁体１４が嵌合された蓋体を、前記螺合筒体１２の支持筒１２ｅ内に前記内部円筒部１５ｃの下端部を挿入するようにして、前記螺合筒体１２の嵌合部１２ｂに嵌合せしめて固定した後で、前記蓋体１５の先端部に設けた塗布具を支持可能な嵌合筒部１５ｄに櫛歯やブラシ等の塗布具６の接合筒部６ａを嵌合、固定すると、図３に示したような塗布具付きの塗布容器が形成される。
【００２８】
上記のように、本願発明は、容器本体１の口頸部１ａに螺合した螺合筒体１２と塗布具６との間に、吐出弁となる弁部１５ｅを有する接合用の蓋体１５と、変形可能な吸気弁１４ｂを有する吸気弁体１４とを設けて、前記蓋体１５の円筒部１５ａを螺合筒体１２の嵌合筒部１２ｂに嵌着可能に形成すると共に、前記蓋体１５の上端部に塗布具６後端の接合筒部６ａを着脱可能に形成したことにより、汎用されている既存品の色々な塗布容器と塗布具を用いた塗布具付きの塗布容器を形成することができるので、種々の塗布具付きの塗布容器を安価に製造することができる。
【００２９】
上記のように形成された塗布具付きの塗布容器は、容器本体１を手中に持って胴壁部を押圧すると、胴壁部が変形して内部の圧力が上昇して前記蓋体１５の弁部１５ｅを開いて、押し上げられた内容液は塗布具６の液流路６ｂを通って、塗布具先端に設けられた吐出口から吐出されれて塗布可能になる。
そして、胴壁部の押圧力が解除されると、変形した容器の胴壁部が復元して容器内が減圧状態になるので、前記弁部１５ｅが閉じられると同時に、蓋体１５の吸気孔１５ｆから外気が吸引されて、前記吸気弁体１４の吸気弁１４ｂの先端部が下方へ変形し、外気は前記螺合筒体１２の通気孔１２ｈを通って、口頸部１ａの外気導入孔１ｃから容器本体１内へと吸引されて内層１ｅが外層から剥離して分離する結果、剥離した内層１ｅは内部が減圧状態になり収縮するので、内溶液を収容した内層内に外気が流入することがなくて、容器本体内の溶液が酸化したりして変質するようなことがない。
【００３０】
また、図５に示した第三の実施例は、前記第二の実施例に於ける吸気弁体１４を螺合筒体１２側に嵌合するように形成したもので、接合用の蓋体１５の円筒部１５ａに吸気孔１５ｈが開口された構造に形成されている。
前記螺合筒体１２と塗布具を装着する蓋体１５との間に設けられる前記吸気弁体２４は、図６（ｂ）に示すようなフランジ部を有する円筒体状に射出成形されて、円筒体２４ａの上端部が前記蓋体１５の上端部に設けられた逆Ｖ字状の係合凹部１５ｇに係合可能に形成されると共に該円筒体の上端縁に吸気孔２４ｄが形成されて、前記円筒体２４ａの内周面には下向きに傾斜した環状片からなる薄肉の吸気弁２４ｂが設けられて、薄肉の環状片の先端部が前記蓋体１５の内部円筒部１５ｃの外周面に密着するように成形されている。
更に、前記吸気弁体の円筒体２４ａの下端部には外向きのフランジ２４ｃが環状に形成されると共に、前記螺合筒体１２の嵌合部１２ｂの内面に接するように形成されて、前記フランジ２４ｃの下面にはリブ状に突出した凹溝が設けられて、前記フランジ２４ｃの下面は前記螺合筒体１２のフランジ部１２ｃの上面に接するように形成されて、両者の間には外気が流通する間隙が形成される。
【００３１】
そして、前記吸気弁体２４は前記第二実施例と同様にして、液体化粧料やその他の各種の溶液が収容された容器本体１の口頸部１ａに螺着されてなる前記螺合筒体１２の嵌合部１２ｂに嵌着すると共に、前記蓋体１５の内部円筒部１５ｃを吸気弁体２４の円筒体２４ａを貫通せしめて螺合筒体１２の支持筒１２ｅ内に挿入して、蓋体１５の円筒部１５ａを螺合筒体１２の嵌合部１２ｂに嵌合して、前記蓋体１５を固定して、図５に示す塗布具付きの塗布容器を構成する。
【００３２】
上記のように形成された塗布具付き塗布容器は、容器本体を手中に持って胴壁部を押圧して内容液を吐出せしめてから胴壁部の押圧力を解除してやると、胴壁部が復元して容器内は減圧状態になるので、前記蓋体１５の弁部１５ｅが閉じられると同時に、前記蓋体１５と螺合筒体１２の間の吸気孔１５ｈから外気が吸引されて、前記吸気弁体２４の円筒体２４ａの上端部に設けた吸気孔２４ｄを通って導入された外気は、前記吸気弁体２４の吸気弁２４ｂを押し下げて前記フランジ２４ｃの下面の隙間を通り、前記螺合筒体１２の通気孔１２ｈを経て、口頸部１ａの外気導入孔１ｃから容器本体内へと吸引されて、外層１ｄと内層１ｅとの間に流入するので、内層は外層から分離されて収縮する。
尚、上記した実施例に於いては、蓋体に連結して使用するのに櫛歯やブラシ等の塗布具を用いたものであったが、本願発明はこのような塗布具に限定されるものではなくて、内容液を注出可能な各種の注出ノズルや吐出具を装着して使用することも可能である。
【００３３】
【発明の効果】
上記のように形成された本願発明の塗布具付き塗布容器は、容器本体の口頸部に設けた螺合筒体と塗布具の間に、吸気弁体を設けた結合部材や蓋体を設けて、既成品の櫛歯やブラシ等の塗布具を蓋体に着脱可能に接合できるように構成したので、結合部材または蓋体を塗布具の接合端部および螺合筒体の嵌合端部に合わせて形成したものを用意しておくだけで、汎用されている色々な既成の櫛歯やブラシ等の塗布具と塗布容器を用いた互換性のある塗布具付き塗布容器を形成することができるので、塗布容器の生産コストを低減することができる。
また、本願発明は、内容液を収容した中空容器の口頸部に装着する塗布具として、従来から既に使用されている櫛歯やブラシ等の部材、および、塗布容器本体を用いたものであるから、注出される内溶液が飛び散ったり、漏れたりする点については解決済みであるから、新しい塗布具付きの容器を製造しても、人肌その他を汚すような恐れは生じない。
【図面の簡単な説明】
【図１】本願の発明である塗布具付き塗布容器を示す断面図である。。
【図２】図１に示す塗布容器に用いる結合部材等の分解斜視図である。
【図３】本願発明の第二実施例を示す断面図である。
【図４】図３に示す塗布容器に用いる結合部材等の分解斜視図である。
【図５】本願発明の第三実施例を示す断面図である。
【図６】図５に示す塗布容器に用いる結合部材等の分解斜視図である。
【図７】従来の塗布具付き塗布容器を示す断面図である。。
【図８】本願発明の先行例の塗布具付き塗布容器を示す断面図である。。
【符号の説明】
１．  中空容器
１ａ．口頸部
１ｃ．外気導入孔
２．  螺合筒体
２ａ．ネジ部
２ｂ．嵌合部
３．  結合部材
３ａ．円筒壁
３ｂ．ネジ部
３ｄ．係合筒
４．  吸気弁体
５．  蓋体
６．  塗布具
【図１】
2004262505.tif 000003
【図２】
2004262505.tif 000004
【図３】
2004262505.tif 000005
【図４】
2004262505.tif 000006
【図５】
2004262505.tif 000007
【図６】
2004262505.tif 000008
【図７】
2004262505.tif 000009
【図８】
2004262505.tif 000010